(57)【要約】【課題】構造が簡単で容易且つ安価に製作できると共に、異なる方向に配置されたフェンスの連結にも容易に対応でき、しかも設置現場の条件に容易に対応できるようにする。【解決手段】上下方向の長孔１１が形成された連結基板１２と、連結基板１２の一側面に固定された固定ジョイント１３と、連結基板１２の他側面に配置された可動ジョイント１４と、可動ジョイント１４と連結基板１２の長孔１１に挿通され且つ可動ジョイント１４を連結基板１２に対して上下及び回動調整自在に固定する固定具１５とを備え、固定ジョイント１３を一方のフェンス３の端部ジョイント１７に、可動ジョイント１４を他方のフェンス４の端部ジョイント１９に夫々連結する。【選択図】    図５
2004156235.tif 000002
【特許請求の範囲】
【請求項１】
左右一対のジョイント（１３）（１４）を備え，該各ジョイント（１３）（１４）を左右のフェンス（３）（４）の端部ジョイント（１７）（１９）に連結するフェンス用の角度調整自在継手において、上下方向の長孔（１１）が形成された連結基板（１２）と、該連結基板（１２）の一側面に固定された固定ジョイント（１３）と、前記連結基板（１２）の他側面に配置された可動ジョイント（１４）と、該可動ジョイント（１４）と前記連結基板（１２）の前記長孔（１１）に挿通され且つ前記可動ジョイント（１４）を前記連結基板（１２）に対して上下及び回動調整自在に固定する固定具（１５）とを備えたことを特徴とするフェンス用の角度調整自在継手。
【発明の詳細な説明】
【０００１】
【発明の属する技術分野】
本発明は、左右のフェンスを連結する際に使用するフェンス用の角度調整自在継手に関するものである。
【０００２】
【従来の技術】
左右のフェンスを連結する際に使用する角度調整自在継手には、従来、支柱の頭部に、円筒状の頭部ブラケットを水平方向のボルトにより角度調整自在に取り付け、この頭部ブラケットにその軸心廻りに回動調整自在に左右一対の頭部ジョイントを設けると共に、各フェンスの胴縁にその軸心廻りに回動調整自在に端部ジョイントを設け、各端部ジョイントを各回動ジョイントにネジによりその軸心廻りに角度調整自在に固定したものがある（特許文献１）。
【０００３】
【発明が解決しようとする課題】
従来の角度調整自在継手は、支柱の頭部に頭部ブラケットを角度調整自在に取り付けているので、異なる方向に配置された左右一対のフェンスを連結するためには、左右一対の頭部ジョイントを頭部ブラケットに対して、端部ジョイントを胴縁に対して夫々回動調整自在に設ける必要があり、構造的に非常に複雑で製作コストがアップし、施工時の取り扱いも煩雑になるという欠点がある。
【０００４】
また角度調整自在継手を使用して左右一対のフェンスを連結する場合には、必ずそのれ箇所に支柱を設ける必要があり、地面側に溝、その他の障害があって支柱の配置が困難な箇所、又は支柱の配置が不可能な箇所では、別のジョイントを使用しなければ連結できないという欠点がある。
【０００５】
しかも、左右の頭部ジョイントが頭部ブラケットの軸心廻りに回転するだけであって、一方の頭部ジョイントに対して他方の頭部ジョイントを上下方向に調整できない。従って、水平面と下り傾斜面とに跨がってフェンスを設置する場合において、支柱の設置箇所が水平面と下り傾斜面との境界部分よりも下り傾斜面側に寄った場合には、下り傾斜面側の頭部ジョイントと端部ジョイントとを回動させて、水平面側のフェンスの胴縁と下り傾斜面側の胴縁との延長線上の交点でネジにより両者を固定する必要があることから、水平面側の地面とフェンスとの隙間に比較して、下り傾斜面側の地面とフェンスとの隙間が非常に大きくなり、外観上の体裁が悪くなるという問題がある。
【０００６】
本発明は、このような従来の問題点に鑑み、構造が簡単で容易且つ安価に製作できると共に、異なる方向に配置されたフェンスの連結にも容易に対応でき、しかも一方に対して他方側を上下に調整でき、傾斜面側でも地面とフェンスとの隙間を小さくできる等、設置現場の条件に容易に対応できるフェンス用の角度調整自在継手を提供することを目的とする。
【０００７】
【課題を解決するための手段】
本発明は、左右一対のジョイント１３，１４を備え，該各ジョイント１３，１４を左右のフェンス３，４の端部ジョイント１７，１９に連結するフェンス用の角度調整自在継手において、上下方向の長孔１１が形成された連結基板１２と、該連結基板１２の一側面に固定された固定ジョイント１３と、前記連結基板１２の他側面に配置された可動ジョイント１４と、該可動ジョイント１４と前記連結基板１２の前記長孔１１に挿通され且つ前記可動ジョイント１４を前記連結基板１２に対して上下及び回動調整自在に固定する固定具１５とを備えたものである。
【０００８】
【発明の実施の形態】
以下に、本発明の実施形態を図面に基づいて詳述する。図１〜図５は水平面１と下り傾斜面２とに跨がってフェンス３，４を設置する場合の本発明の第１の実施形態を例示する。フェンス３，４は左右方向に配置された上下一対の胴縁５と、この胴縁５間に左右方向に所定間隔をおいて配置された複数個の縦桟６とを有する。各フェンス３，４は、その上下の胴縁５が支柱７に固定され、また水平面１と下り傾斜面２との境界部分よりも下り傾斜面２側において、上下一対の角度調整自在継手８により連結されている。なお、水平面１側のフェンス３を支持する支柱７は、下り傾斜面２側に設けられている。
【０００９】
フェンス３，４の各胴縁５は、図２に示すように例えば断面が縦長矩形状等の筒材により構成され、相対向する側に内外一対の取り付けリブ９を有し、各胴縁５の取り付けリブ９間に縦桟６の上下両端側が挿入されて、各取り付けリブ９にネジ１０等で固定されている。各縦桟６は胴縁５に対してネジ１０等の軸心廻りに角度変更可能であり、水平面１用、下り傾斜面２用の各フェンス３，４に同種のものが使用されている。なお、取り付けリブ９と１個でも良い。
【００１０】
各角度調整自在継手８は、図３〜図５に上側の角度調整自在継手８を例示するように、上下方向の長孔１１が形成された連結基板１２と、この連結基板１２の一側面に固定された固定ジョイント１３と、連結基板１２の他側面に配置された可動ジョイント１４と、この可動ジョイント１４と連結基板１２の長孔１１に挿通され且つ可動ジョイント１４を連結基板１２に対して上下及び回動調整自在に固定する固定具１５と、固定ジョイント１３に固定具１６により角度調整自在に固定される一方のフェンス３側の端部ジョイント１７と、可動ジョイント１４に固定具１８により角度調整自在に固定される他方のフェンス４側の端部ジョイント１９とを備えている。
【００１１】
連結基板１２は胴縁５の内外方向の寸法と略同程度の幅（同一幅、又は若干広いか狭い程度の幅）と、胴縁５の上下方向の寸法と略同程度の長さ（同一長さ、又は若干長いか短い程度の長さ）とを有する上下方向に長い矩形状であって、略中央部に上下方向に長い長孔１１が形成されている。
【００１２】
固定ジョイント１３は、端部ジョイント１７を挿入可能な間隔をおいて、長孔１１の両側で連結基板１２の上下方向の略中央部から一側方に突出された一対のジョイント板部２０を有し、その各ジョイント板部２０の先端部に通孔２１が相対向して形成されている。可動ジョイント１４は連結基板１２の他側面に当接する当接板部２２と、端部ジョイント１７，１９を挿入可能な間隔をおいて当接板部２２の両側から連結基板１２と反対側に突出する一対のジョイント板部２３とを一体に備えたコ字状であって、その当接板部２２の略中央に長孔１１に対応する通孔２４が形成され、また各ジョイント板部２３の先端部に通孔３９が相対向して形成されている。
【００１３】
なお、固定ジョイント１３、可動ジョイント１４は連結基板１２と略同一幅である。固定ジョイント１３、可動ジョイント１４には、ジョイント板部２０，２３の外側に通孔２１，３９よりも大きい凹部２５，２６が略同心状に形成されている。また各ジョイント板部２０，２３の先端側は、通孔２１，３９を中心とする円弧状に形成されている。
【００１４】
固定具１５は１個であって、頭部付きのネジ２７と、このネジ２７に螺合するナット２８とにより構成され、そのネジ２７が連結基板１２の長孔１１から可動ジョイント１４の当接板部２２の通孔２４に挿通されている。そして、この固定具１５により、可動ジョイント１４が連結基板１２に対して長孔１１の範囲内で上下方向に調整自在で且つネジ２７の軸心廻りに回動調整自在に固定されている。
【００１５】
端部ジョイント１７，１９は基部側が取り付け板２９，３０の上下方向の略中央部に固定され、その取り付け板２９，３０がフェンス３，４の胴縁５の端面に上下一対のネジ３１，３２により着脱自在に固定されている。端部ジョイント１７，１９は、各ジョイント１３，１４の一対のジョイント板部２０，２３間に摺動自在に挿入され、先端部に固定ジョイント１３、可動ジョイント１４の通孔２１，３９に対応する通孔３３，３４が形成されている。そして、各端部ジョイント１７，１９は、各ジョイント１３，１４の一対のジョイント板部２０，２３間に摺動自在に挿入した状態で、両者の通孔２１，３３、３９，３４に挿通された固定具１６，１８により角度調整自在に固定されている。
【００１６】
固定具１６，１８は、固定具１５と同様に頭部付きのネジ３５，３６と、このネジ３５，３６に螺合するナット３７，３８とにより構成され、その頭部及びナット３７，３８がジョイント板部２０，２３の凹部２５，２６に入っている。なお、各端部ジョイント１７，１９の先端側は、通孔３３，３４を中心とする円弧状に形成されている。
【００１７】
水平面１と下り傾斜面２とに跨がってフェンス３，４を設置する場合には、図１に示すように各フェンス３，４を支柱７に固定した後、その左右のフェンス３，４の上下の胴縁５の端部側を角度調整自在継手８を用いて連結する。この場合、例えば固定ジョイント１３の一対のジョイント板部２０間に水平面１側のフェンス３の胴縁５の端部ジョイント１７を挿入した後、その両者の通孔２１，３３に固定具１６のネジ３５を挿入し、このネジ３５とナット３７で両者を仮止めする。
【００１８】
一方、固定具１５のネジ２７とナット２８を緩めると、可動ジョイント１４が連結基板１２に対して長孔１１の範囲内で上下に摺動するので、下り傾斜面２側の地面とフェンス４との間の隙間Ａを小さくする場合には、図４に示すように可動ジョイント１４を下方へと摺動させて、その一対のジョイント板部２３間に下り傾斜面２側のフェンス４の胴縁５の端部ジョイント１９を挿入した後、その両者の通孔３９，３４に固定具１８のネジ３６を挿入し、このネジ３６とナット３８で両者を仮止めする。
【００１９】
逆に下り傾斜面２側のフェンス４の高さを高くする場合、或いは下り傾斜面２側のフェンス４の高さをその上側にある屋根等に合わせて高くする場合には、図４に仮想線で示すように可動ジョイント１４を連結基板１２に対して上方へと摺動させる。
【００２０】
そして、その後に連結基板１２を固定ジョイント１３に対応する端部ジョイント１７、即ち水平面１側のフェンス３に固定の端部ジョイント１７の取り付け板２９と略平行にした状態で各固定具１５，１６，１８を締め付けて、連結基板１２と可動ジョイント１４、固定ジョイント１３と端部ジョイント１７、可動ジョイント１４と端部ジョイント１９とを順次固定すれば良い。
【００２１】
なお、角度調整自在継手８は、一般的にはこの実施形態に例示するように使用するが、左右を逆にして、その固定ジョイント１３を下り傾斜面２側のフェンス４に、可動ジョイント１４を水平面１側のフェンス３に夫々固定しても良い。
【００２２】
このように角度調整自在継手８は、上下方向の長孔１１が形成された連結基板１２と、この連結基板１２の一側面に固定された固定ジョイント１３と、連結基板１２の他側面に配置された可動ジョイント１４と、この可動ジョイント１４と連結基板１２の長孔１１に挿通され且つ可動ジョイント１４を連結基板１２に対して上下及び回動調整自在に固定する固定具１５とを備えているので、その構造が従来に比較して非常に簡単であり、容易且つ安価に製作できるる。
【００２３】
また水平面１側のフェンス３と下り傾斜面２側のフェンス４とを連結する場合には、その下り傾斜面２側のフェンス４の傾斜角度に応じて可動ジョイント１４を連結基板１２に対して上下に調整すれば良いので、水平面１側のフェンス３同士を連結する場合は勿論のこと、水平面１側のフェンス３と下り傾斜面２側のフェンス４とを連結する場合にも対応でき、その連結作業も容易にできる。しかも角度調整自在継手８は支柱７から外れた位置でフェンス３，４を連結しているので、支柱７の配置が困難な箇所でもその連結を容易にできる。
【００２４】
更に連結基板１２に対して可動ジョイント１４が上下方向に調整自在であるので、施工現場の条件に応じて固定ジョイント１３を基準に可動ジョイント１４を上下に調整し、その可動ジョイント１４側のフェンス４の高さを上下に調整できる。従って、例えば連結箇所が水平面１と下り傾斜面２との境界部分から下り傾斜面２側に寄った位置にある場合には、可動ジョイント１４を連結基板１２に対して下側へと移動させた状態で連結することが可能であり、これによって下り傾斜面２側のフェンス４が地面に接近し、従来に比較して下り傾斜面２側の地面とフェンス４との間の隙間Ａを小さくでき、外観上の体裁が良好になる。
【００２５】
図６は同じ角度調整自在継手８を使用して略直角方向に配置された一対のフェンス３，４を連結する場合の第２の実施形態を例示する。この場合には、例えば角度調整自在継手８の固定ジョイント１３をフェンス３の端部ジョイント１９に固定具１８で固定し、可動ジョイント１４を固定具１５の軸心廻りに９０度回動させて、その可動ジョイント１４にフェンス４の端部ジョイント１９を挿入して、夫々の固定具１５，１６，１８を固定すれば良い。
【００２６】
従って、可動ジョイント１４が固定具１５の軸心廻りに回動自在であるので、この可動ジョイント１４を連結基板１２に対して回動させることによって、コーナー部でも両フェンス３，４を容易に連結できる。なお、可動ジョイント１４と端部ジョイント１９とを固定する固定具１８は、両フェンス３，４の延長線の交点に位置するので、可動ジョイント１４と端部ジョイント１９はこの固定具１８の箇所で両フェンス３，４のなす角度に応じて屈折する。
【００２７】
以上、本発明の各実施形態について詳述したが、本発明は各実施形態に限定されるものではなく、その他種々の態様で実施することができる。例えば、連結時の作業順序は単なる一例に過ぎず、施工現場の条件に応じた手順で連結すれば良い。
【００２８】
また角度調整自在継手８の連結基板１２は上下方向の長孔１１が形成された板材であれば十分であり、フェンス３，４の胴縁５の外形状と調和する形状でも良いし、デザイン的にフェンス３，４間のアクセントとなる形状でも良い。また固定ジョイント１３、可動ジョイント１４は共に二股状であり、これに端部ジョイント１７，１９を挿入して固定具１６，１８で固定するようになっているが、端部ジョイント１７，１９を二股状に構成し、この端部ジョイント１７，１９に固定ジョイント１３、可動ジョイント１４を挿入するようにしても良い。
【００２９】
固定ジョイント１３は連結基板１２と一体でも良いし、別体に構成して連結基板１２に溶接、リベット、その他の適宜固定手段により固定しても良い。別体構造の場合、固定ジョイント１３は可動ジョイント１４と同様にコ字状に構成しても良い。固定ジョイント１３は連結基板１２の上下方向の略中央に配置することが望ましいが、上下方向の一方に偏位して配置することも可能である。
【００３０】
角度調整自在継手８は水平面１と下り傾斜面２とに跨がってフェンス３，４を設置する場合、コーナー部の両側にフェンス３，４を設置する場合に限らず、水平面１と上り傾斜面とに跨がってフェンス３，４を設置する場合等、異なる方向に配置された左右一対のフェンス３，４を連結する箇所であればどこでも使用可能である。勿論、同一方向に一直線状にフェンス３，４を設置する場合、各フェンス３，４相互間で段差を付けて水平状、傾斜状に設置する場合にも使用できることはいうまでもない。フェンス３，４は格子状以外のもの、胴縁５がないものでも良い。また端部ジョイント１７，１９はフェンス３，４の端部側に固定されておれば十分である。
【００３１】
【発明の効果】
本発明では、左右一対のジョイント１３，１４を備え，該各ジョイント１３，１４を左右のフェンス３，４の端部ジョイント１７，１９に連結するフェンス用の角度調整自在継手において、上下方向の長孔１１が形成された連結基板１２と、該連結基板１２の一側面に固定された固定ジョイント１３と、連結基板１２の他側面に配置された可動ジョイント１４と、該可動ジョイント１４と連結基板１２の長孔１１に挿通され且つ可動ジョイント１４を連結基板１２に対して上下及び回動調整自在に固定する固定具１５とを備えているので、構造が簡単で容易且つ安価に製作できると共に、同一方向に配置されたフェンス３，４は勿論のこと、異なる方向に配置されたフェンス３，４の連結にも容易に対応でき、しかも一方に対して他方側を上下に調整でき、傾斜面側でも地面とフェンス３，４との隙間を小さくできる等、設置現場の条件に容易に対応できる。
【図面の簡単な説明】
【図１】本発明の第１の実施形態を示す一部傾斜式のフェンス設置状態の正面図である。
【図２】本発明の第１の実施形態を示すフェンスの要部の断面図である。
【図３】本発明の第１の実施形態を示す角度調整自在継手の一部破断平面図である。
【図４】本発明の第１の実施形態を示す角度調整自在継手の一部破断正面図である。
【図５】本発明の第１の実施形態を示す角度調整自在継手の斜視図である。
【図６】本発明の第２の実施形態を示すコーナー部のフェンス設置状態の正面図である。
【符号の説明】
３，４  フェンス
８  角度調整自在継手
１１  長孔
１２  連結基板
１３  固定ジョイント
１４  可動ジョイント
１５  固定具
１７，１９  端部ジョイント
【図１】
2004156235.tif 000003
【図２】
2004156235.tif 000004
【図３】
2004156235.tif 000005
【図４】
2004156235.tif 000006
【図５】
2004156235.tif 000007
【図６】
2004156235.tif 000008